(57)【特許請求の範囲】
【請求項１】
ＰＴＰ包装した薬剤またはそれと等価な薬剤を各々は横にしたうえで収納空間底部材の上面に載せて縦に積み重ねて整列収納させた状態で保持する整列収納部と、前記薬剤のうち最下のものの後端に作用する可動部材を送り機構にて前記収納空間底部材に沿って前送りする順次排出機構とを備えていて、前記薬剤を下から順に横送りして前記整列収納部の排出口から前方へ排出するＰＴＰカセットにおいて、前記排出口の上側部分に髭状の可撓性留具が設けられており、前記送り機構にて前記可動部材に後続して前送りされて前記薬剤のうち下から二番目の薬剤の落下を妨げる押上部材が前記順次排出機構に設けられており、前記可動部材と前記押上部材とが、平板から作った板体に曲げ加工を施した一体成形部材からなることを特徴とするＰＴＰカセット。
【請求項２】
前記可撓性留具が前後に並んで複数設けられおり、その高さ調整が個々に行えるようになっていることを特徴とする請求項１記載のＰＴＰカセット。
【発明の詳細な説明】
【技術分野】
【０００１】
この発明は、ＰＴＰ包装した薬剤またはそれと等価な薬剤（以下、ＰＴＰ包装剤等と呼ぶ）を整列収納して順次排出するＰＴＰカセットに関し、詳しくは、ＰＴＰ包装剤等を積み重ねて多数保持するとともに下から順に長手方向へ横送りして排出するＰＴＰカセットに関する。なお、ＰＴＰカセットは、一体物に纏められていることもあれば、着脱式の複数部分たとえば整列収納部と順次排出機構とに分かれていることもある。また、ＰＴＰ包装剤は、複数個・多数個の薬剤をＰＴＰシートにて包装したものであり、一枚ずつバラの状態で取り扱われることもあれば、複数枚・多数枚を結束帯で結束したＰＴＰ結束体の状態で取り扱われることもある。
【背景技術】
【０００２】
シートのカール性が大きいことからシートが浅溝状の樋のように反ったり更にはシートが捻れることもあるＰＴＰ包装剤を対象として、簡便な手法でも安定に順次排出できるようになったＰＴＰカセットが、幾つか実用に供されている（例えば特許文献１〜３参照）。何れのＰＴＰカセットも、内底部材（収納空間底部材）を具備した箱状の整列収納部と、その下に固定の又は着脱式の順次排出機構とを備えており、そのうち整列収納部は、ＰＴＰ包装剤等を各々は横にしたうえで内底部材の上面に載せて縦に積み重ねて整列収納させた状態で保持するようになっており、順次排出機構は、整列収納部に保持されているＰＴＰ包装剤等を下から順に横送りして前方へ排出するようになっている。
【０００３】
整列収納部は、何れのカセットでも構成が似ており、内底部材の上の整列収納空間が前板と両側板で囲まれているが上面と後背面が解放されており、前板のうち内底部材の前端のところが切り欠かれて排出口が形成されている。その排出口の上側部分には髭状の可撓性留具（弾性留具）が垂れ下がっており、排出口の下方には排出センサが置かれている。
順次排出機構は、ＰＴＰ包装剤等のうち最下のものの後端に作用する可動部材と、この可動部材を内底部材に沿って前送りする送り機構とを備えている点は、何れのカセットにも共通しているが、可動部材には、ＰＴＰ包装剤等の後端を引掛部材で引っ掛けるタイプと（特許文献１，３参照）、ＰＴＰ包装剤等の後端を押出部材で押すタイプとがある（特許文献２参照）。
【先行技術文献】
【特許文献】
【０００４】
【特許文献１】特開２００９−１３１５６０号公報
【特許文献２】特開２００９−１６５６７５号公報
【特許文献３】特開２００９−２９７４６６号公報
【特許文献４】特願２０１０−０３７９８０号
【発明の概要】
【発明が解決しようとする課題】
【０００５】
上述したような従来のＰＴＰカセットでは、ＰＴＰ包装剤等がカール変形しても逐次排出は的確になされるよう、送出用の可動部材の形状等に工夫を凝らすことで最下のものの後端にだけ作用させるとともに、排出口の上側部分に可撓性留具（弾性留具）を設置することで、最下のものの不所望な自然滑落を防止しつつ、下から二番目やそれより上のものの不所望な破損と随伴排出をも防止している。
しかしながら、ＰＴＰ包装剤等の変形の態様やバラツキが大きいため、不所望な随伴排出による二枚落ちを確実に防止するには、可撓性留具の調整に手間取ることが多い。
そこで、可撓性留具の調整の容易なＰＴＰカセットを実現することが要請される。
【０００６】
そして、かかる要請に応えるＰＴＰカセットが開発されており、具体的には、ＰＴＰ包装した薬剤またはそれと等価な薬剤を各々は横にしたうえで収納空間底部材の上面に載せて縦に積み重ねて整列収納させた状態で保持する整列収納部と、前記薬剤のうち最下のものの後端に作用する可動部材を送り機構にて前記収納空間底部材に沿って前送りする順次排出機構とを備えていて、前記薬剤を下から順に横送りして前記整列収納部の排出口から前方へ排出するＰＴＰカセットにおいて、前記排出口の上側部分に髭状の可撓性留具が複数設けられ、その高さ調整が個々に行えるようになっている（特許文献４参照）。
【０００７】
このようなＰＴＰカセットにあっては、可撓性留具（弾性留具）が複数になって個々に調整することまで可能になっているので、最下の薬剤（ＰＴＰ包装剤等）の自然滑落防止を目的として何れかの可撓性留具の高さ調整が行われるとともに、下から二番目の薬剤の随伴排出防止を目的として他の可撓性留具の高さ調整が行われる。このように個々の可撓性留具の役目を明確化するとともに役割を分担させたことにより、何れの可撓性留具も調整が容易になるうえ、適切な調整結果が迅速に得られることとなる。
【０００８】
このように、可撓性留具を個別調整可能な状態で二段化したＰＴＰカセットは、可撓性留具そのものを改良することにより、可撓性留具の調整の容易化を実現している。
しかしながら、整列収納部に設けられた可撓性留具がＰＴＰ包装剤等に対して受動的に作用して逐次排出動作を安定させるものであるところ、ＰＴＰ包装剤等に対して能動的に作用して逐次排出機能を発揮するのは、順次排出機構に設けられた可動部材や送り機構であり、両機構がＰＴＰ包装剤等を介して相互作用しつつ協働するのであるから、順次排出機構を改良することでも可撓性留具の調整の容易化が図れるはずである。
そこで、下から二番目以上のＰＴＰ包装剤等の随伴排出を防止するという可撓性留具の機能が強化されるよう順次排出機構に工夫を凝らすことが技術的な課題となる。
【課題を解決するための手段】
【０００９】
本発明のＰＴＰカセットは（解決手段１）、このような課題を解決するために創案されたものであり、ＰＴＰ包装した薬剤またはそれと等価な薬剤を各々は横にしたうえで収納空間底部材の上面に載せて縦に積み重ねて整列収納させた状態で保持する整列収納部と、前記薬剤のうち最下のものの後端に作用する可動部材を送り機構にて前記収納空間底部材に沿って前送りする順次排出機構とを備えていて、前記薬剤を下から順に横送りして前記整列収納部の排出口から前方へ排出するＰＴＰカセットにおいて、前記排出口の上側部分に髭状の可撓性留具が設けられており、前記送り機構にて前記可動部材に後続して前送りされて前記薬剤のうち下から二番目の薬剤の落下を妨げる押上部材が前記順次排出機構に設けられていることを特徴とする。
【００１０】
ここで、前記可動部材と前記押上部材は、別体に限られる訳でなく、一体物になっていても良い。
また、上述した可撓性留具の二段化（特許文献４参照）の併用も可能であり、具体的には、前記可撓性留具が複数設けられて、その高さ調整が個々に行えるようになっていると、可撓性留具の調整がより容易になるので、更に良い。
【発明の効果】
【００１１】
このような本発明のＰＴＰカセットにあっては（解決手段１）、可動部材に後続する押上部材を順次排出機構に設けて、薬剤のうち下から二番目の薬剤の落下が押上部材によって妨げられるようにしたことにより、最下の薬剤が排出口から外へ排出されてから二番目の薬剤が排出口下部へ落下するまでの時間が、排出口および可撓性留具のところを通過する可動部材と押上部材との時間差の分だけ、延長されることとなる。そして、最下の薬剤の通過によって曲げられた可撓性留具が姿勢を戻して安定するのに必要な時間が確保されるので、姿勢を乱されて弱まった可撓性留具の自然滑落防止機能や随伴排出防止機能が二番目の薬剤の落下前に姿勢安定によって可撓性留具の下端まで回復することとなる。
したがって、この発明によれば、順次排出機構に押上部材を追加して、下から二番目のＰＴＰ包装剤等の随伴排出を防止するという可撓性留具の機能を強化したことにより、可撓性留具の調整の容易なＰＴＰカセットを実現することができる。
【図面の簡単な説明】
【００１２】
【図１】本発明の実施例１について、ＰＴＰカセットの構造を示し、（ａ）が空のカセットの斜視図、（ｂ）がＰＴＰ包装剤を収納したカセットの斜視図、（ｃ）が空のカセットの要部の縦断面図、（ｄ）が無端ベルト外周面と可動部材と押上部材との斜視図である。
【図２】（ａ）がＰＴＰ包装剤を収納して排出態勢を整えたカセット要部の縦断面図、（ｂ）〜（ｄ）がＰＴＰ包装剤排出時のカセット要部の縦断面図である。
【図３】本発明の実施例２について、可動部材と押上部材とを一体形成した部材の構造を示し、（ａ）が打抜板体の平面図と立面図、（ｂ）が一体形成部材の平面図と立面図、（ｃ）が取付穴を複数形成した一体形成部材の平面図と立面図である。
【図４】本発明の実施例３について、ＰＴＰカセットの構造を示し、（ａ）が空のカセットの斜視図、（ｂ）がＰＴＰ包装剤を収納したカセットの斜視図、（ｃ）が空のカセットの要部の縦断面図、（ｄ）が二段重ね可撓性留具の正面図、（ｅ）が最下薬剤向け可撓性留具の正面図、（ｆ）が二番目薬剤向け可撓性留具の正面図である。
【図５】（ａ）がＰＴＰ包装剤を収納して排出態勢を整えたカセット要部の縦断面図、（ｂ）〜（ｄ）がＰＴＰ包装剤排出時のカセット要部の縦断面図である。
【発明を実施するための形態】
【００１３】
このような本発明のＰＴＰカセットについて、これを実施するための具体的な形態を、以下の実施例１〜３により説明する。
図１〜２に示した実施例１は、上記の解決手段１（出願当初の請求項１〜２）を具現化したものであり、図３に示した実施例２は、その変形例であり（出願当初の請求項２）、図４〜５に示した実施例３は、上記の解決手段１に上述した可撓性留具の二段化（特許文献４参照）も併せて具現化したものである（出願当初の請求項３）。
なお、それらの図示に際しては、簡明化等のため、ヒンジ等の連結具や，モータドライバ等の電気回路，コントローラ等の電子回路などは図示を割愛し、発明の説明に必要なものや関連するものを中心に図示した。
【実施例１】
【００１４】
本発明のＰＴＰカセットの実施例１について、その具体的な構成を、図面を引用して説明する。図１は、（ａ）が空のＰＴＰカセット１０の斜視図、（ｂ）がＰＴＰ包装剤８を収納したカセット１０の斜視図、（ｃ）が空のカセット１０の要部の縦断面図、（ｄ）が送り機構の無端ベルト１６の外周面と可動部材１９と押上部材２０との斜視図である。
【００１５】
このＰＴＰカセット１０は、ＰＴＰ包装剤８等の薬剤を各々は横にしたうえで縦に積み重ねて整列収納させた状態で保持する箱体１１（整列収納部）と、その中の薬剤を下から順に横送りして前方へ排出する順次排出機構１６〜２０とを具えている。
このＰＴＰカセット１０に整列収納される薬剤の典型例はＰＴＰ包装剤８であり、その典型的な形状は片面が平坦で他面に薬剤収納用突部（ポケット）の列設された角板状である。ＰＴＰ包装剤８の典型的なサイズは幅が数十ｍｍで長さが百数十ｍｍであり、典型的な重量・質量は数十ｍｇ〜百数十ｍｇであり、典型的な厚みは数ｍｍである。
【００１６】
箱体１１は、整列収納空間の画成のため鉛直な前面板と左右の鉛直な側板と一対の内底板１５，１５（収納空間底部材）とを具え、安定な単体置きのため水平な外底板を具えているが、補充容易化のため上面と後背面は解放されている。箱体１１の前面には、補充薬品確認等のため、ラベル１２が貼り付けられている。箱体１１の前面の下部には、ＰＴＰ包装剤８が順次排出されるときに通過する排出口１３が開口形成されており、排出口１３の上側部分には横幅ほぼ全域に亘って列設された髭状の可撓性留具１４が垂れ下がっており、その可撓性留具１４の髭部の先端・下端の近くに前端を位置させて一対の内底板１５，１５（収納空間底部材）が左右に分かれて並置されている。
【００１７】
この内底板対１５，１５は両者の間を開けて箱体１１の前後に亘って延びており、左の内底板１５は箱体１１の左側板の内側に取り付けられ、右の内底板１５は箱体１１の右側板の内側に取り付けられて、前下がり状態・後上がり状態を維持するので、ＰＴＰ包装剤８が内底板１５の上面に載せられて積み重ね収納されると、そのＰＴＰ包装剤８が自重の分力によって前方へ僅かに付勢されて箱体１１の前板に前端を当接させた状態を採ることにより整列収納時の姿勢が安定するようになっている。また、最下のＰＴＰ包装剤８やその直ぐ上の二番目のＰＴＰ包装剤８は、その前端が排出口１３の所で可撓性留具１４に当接することで、勝手には滑り出ないようになっている。可撓性留具１４は上端が固定され下端が固定されていないので、最下のＰＴＰ包装剤８は弱い力で押し出せるが、その上のＰＴＰ包装剤８は可撓性留具１４や前板に止められて排出されないようになっている。
【００１８】
順次排出機構１６〜２０は、無端ベルト１６と排出センサ１７と電動モータ１８と可動部材１９と押上部材２０とを具えたものであり、図示の例では箱体１１の外底板の上に設けられているが、外底板が無いような場合はユニット化されて箱体１１の両側板に取着される。無端ベルト１６は、両端をローラで支持されて前後に延びており、平面視ではほぼ全体が内底板対１５，１５の間に位置し、側面視では上辺部分が内底板１５より僅かに低いところに位置する状態で、内底板１５に沿って傾斜しており、電動モータ１８の駆動によって上側を前進させるようになっている。電動モータ１８は、図示しない制御回路の動作制御に従って、ＰＴＰ包装剤８を一枚だけ排出するときには間欠動作し、ＰＴＰ包装剤８を複数枚続けて順次排出するときには連続動作するようになっている。
【００１９】
可動部材１９は、無端ベルト１６の外周側に装着されていて、無端ベルト１６の循環動作に随伴して巡回移動することにより、内底板対１５，１５の間に来たときには内底板対１５，１５（収納空間底部材）に沿って後ろから前へ移動して、箱体１１に整列収納されたＰＴＰ包装剤８のうち最下のものの後端に当接作用するものなので、ＰＴＰ包装剤８を傷つけないよう且つ十分な可撓性を発揮するよう例えばエンジニアリングプラスチックから作られている。図示した可動部材１９は、平たい逆鉤を持った引掛部材であるが、最下のＰＴＰ包装剤８を前方へ横送りできれば他の形状でも良く、例えば、逆鉤が尖っていても良く（例えば特許文献３参照）、丸鉤状の引掛部材でも良く（例えば特許文献１参照）、硬質部材と軟質部材とを組み合わせた押出部材でも良い（例えば特許文献２参照）。
【００２０】
押上部材２０は、可動部材１９の近くで無端ベルト１６の外周側に装着されており、可動部材１９と共に無端ベルト１６の循環動作に随伴して巡回移動することにより、内底板対１５，１５の間に来たときには内底板対１５，１５に沿って可動部材１９の後に続いて前へ移動して、箱体１１に整列収納されたＰＴＰ包装剤８のうち下から二番目のＰＴＰ包装剤８の落下を妨げるようになっている。押上部材２０は、下から二番目のＰＴＰ包装剤８の下面を押し上げるようにして擦りながら前進するので、やはりＰＴＰ包装剤８を傷つけないよう且つ十分な円滑性や適度な弾性を発揮するよう例えばエンジニアリングプラスチックから作られ、ＰＴＰ包装剤８の厚みと同じか少し低い背高で、後ろ向きに傾いた姿勢で設けられている。
【００２１】
押上部材２０と可動部材１９との離隔距離は、両部材の動作妨害を招く直接干渉距離より遠く、ＰＴＰ包装剤８の長さの半分より近くなっている。そして、その範囲内に両部材１９，２０の距離が収まっていることを前提として、可撓性留具の自然滑落防止機能や随伴排出防止機能の回復時間を稼ぐために、可能であれば、可撓性留具１４のところを通過するときの可動部材１９と押上部材２０との時間差が、最下のＰＴＰ包装剤８の通過によって曲げられた可撓性留具１４が姿勢を元に戻して安定するのに十分な時間を上回るよう、押上部材２０と可動部材１９との距離が広げられる。一方、ＰＴＰ包装剤８の落下時間が過剰に延びるのを防止する観点からは、上述した条件に反しない範囲で、押上部材２０と可動部材１９とを近づけるのが望ましい。
【００２２】
排出センサ１７は、例えば反射式の光学センサからなり、この例では排出口１３や無端ベルト１６の前端の斜め下方で箱体１１の外底板の上面に設けられて、検出方向を上に向けている。そして、上方にＰＴＰ包装剤８が有って反射光が検出されるか或いは上方にＰＴＰ包装剤８が無くて反射光が検出されないかに応じてオンオフ信号を出力するものである。この信号に基づいて図示しない上述の制御回路が、最下のＰＴＰ包装剤８ａが前方へ横送りされて排出口１３から出てくると、その最下のＰＴＰ包装剤８ａの排出開始を検知し、そのＰＴＰ包装剤８が排出口１３から抜け落ちて上方から前方へ去ると、排出完了を検知するようになっている。
【００２３】
この実施例１のＰＴＰカセット１０について、その使用態様及び動作を、図面を引用して説明する。図２は、ＰＴＰ包装剤８の排出動作を時系列で示しており、（ａ）がＰＴＰ包装剤８を収納して排出態勢を整えたカセット要部の縦断面図、（ｂ）〜（ｄ）がＰＴＰ包装剤排出時のカセット要部の縦断面図である。
以下、箱体１１に収納されたＰＴＰ包装剤８のうち最下のＰＴＰ包装剤８はＰＴＰ包装剤８ａと呼び、下から二番目のＰＴＰ包装剤８はＰＴＰ包装剤８ｂと呼ぶ。
【００２４】
ＰＴＰカセット１０を初めて使用するときや、ＰＴＰ包装剤８の種類を変えるようなときには、二枚落ちのおそれがなく高速でも安定して逐次排出が行われるよう、可撓性留具１４を処理対象のＰＴＰ包装剤８に適合させるべく、可撓性留具１４の選択取付や交換を行うとともに可撓性留具１４の長さ調整や高さ調整などを行う。例えば、可撓性留具１４の髭部の先端部・下端部が最下のＰＴＰ包装剤８ａの前端と干渉してその自然滑落を阻止するとともに、可撓性留具１４の髭部の基端部が二番目のＰＴＰ包装剤８ｂの前端と干渉してその前進を阻止するよう、箱体１１の前面板に対する取付位置等が調整される。
【００２５】
それから、ＰＴＰカセット１０が空の場合は手作業でＰＴＰ包装剤８を解放上面や解放背面から補充する。そのとき、各々のＰＴＰ包装剤８を横にしたうえで、多数のＰＴＰ包装剤８の表裏を同じ向きに揃え、なるべくポケット側（薬剤収納用突部形成側）を上にして、それらを内底板１５の上面に積み上げることで、箱体１１内にＰＴＰ包装剤８を収納する。それから、収納したＰＴＰ包装剤８の後端を指等で軽く押して、ＰＴＰ包装剤８の列を整える。こうして、整列収納されたＰＴＰ包装剤８は前端を箱体１１の前板か可撓性留具１４に当てて位置が決まり、その順次排出の準備が整う（図２（ａ）参照）。
【００２６】
その後、ＰＴＰ包装剤８を一つずつ排出させるときには、図示しない制御回路に排出の指令や指示を与えて、ＰＴＰカセット１０に排出動作を行わせる。具体的には、制御回路が、排出センサ１７の反射光不検出を確認しつつ、電動モータ１８を作動させる。そうすると、無端ベルト１６が循環し、それに随伴して引掛部材１９と押上部材２０が巡回移動し、後方で上向きになった又はなっていた可動部材１９が後方から前方へ進行する。そして、ＰＴＰ包装剤８のところまで前進すると、その可動部材１９が最下のＰＴＰ包装剤８ａの後端に当接して最下のＰＴＰ包装剤８ａを前進させる。このとき、可撓性留具１４の髭部が最下のＰＴＰ包装剤８ａの前端を押さえようとするが、自然滑落は阻止できても、可動部材１９の推進力には抗えないので、最下のＰＴＰ包装剤８ａが前進する。
【００２７】
それから（図２（ｂ）参照）、その可動部材１９と後続の押上部材２０が無端ベルト１６によって更に前送りされると、可動部材１９の後押しによって最下のＰＴＰ包装剤８ａが横送りされてＰＴＰ包装剤８ａの前端部さらには前側部分が排出口１３から外に出る。このとき、下から二番目のＰＴＰ包装剤８ｂが、最下のＰＴＰ包装剤８ａに摩擦で引きずられて一緒に排出口１３から外へ出ようとするが、可撓性留具１４の髭部の基端部によって傷つかない程度ではあるが強く止められるので、箱体１１の中にとどまる。また、可動部材１９に続いて前進した押上部材２０が二番目のＰＴＰ包装剤８ｂの下に入り込んで、そのＰＴＰ包装剤８ｂの後端部さらには後側部分の落下を阻止するので、二番目のＰＴＰ包装剤８ｂの不所望な傾動や曲りが防止・抑制される。
【００２８】
そして（図２（ｃ）参照）、可動部材１９が更に前進して排出口１３から外に出たときには、最下のＰＴＰ包装剤８ａが排出口１３から前方へ排出されるとともに、押上部材２０が排出口１３に近づいて二番目のＰＴＰ包装剤８ｂの前端寄りの部分を下から押し上げるようにして二番目のＰＴＰ包装剤８ｂの前端の落下を阻止する。そのため、最下だったＰＴＰ包装剤８ａが排出された後も暫くは、下から二番目だったＰＴＰ包装剤８ｂは、前端を可撓性留具１４の髭部の基端部に当接し続けるので、確実に箱体１１の中にとどまる。その後（図２（ｄ）参照）、可動部材１９に続いて押上部材２０が排出口１３から外に出ると、下から二番目だったＰＴＰ包装剤８ｂが前端部まで内底板１５の上に落下するが、そのときには可撓性留具１４の髭部が下向きに戻って真っ直ぐになっているので、その髭部の下端部との干渉によりＰＴＰ包装剤８ｂの自然滑落が阻止される。
【００２９】
また、最下だったＰＴＰ包装剤８ａが排出口１３から前方へ排出されたときには、その排出中のＰＴＰ包装剤８ａからの反射光が排出センサ１７によって検出され、これに応じて適宜なタイミングで電動モータ１８の作動が停止されるので、無端ベルト１６の循環動作も可動部材１９と押上部材２０の巡回移動も止まる。そして、最下だったＰＴＰ包装剤８ａの抜けた内底板１５上では、二番目だった次のＰＴＰ包装剤８ｂが最下のものとなる。ただし、続けて二枚目のＰＴＰ包装剤８も排出する場合は、無端ベルト１６が循環動作を続行するので、可動部材１９と押上部材２０の巡回移動も続行される。
【００３０】
こうして、ＰＴＰ包装剤８が一枚ずつ排出されるが、このＰＴＰカセット１０にあっては、最下のＰＴＰ包装剤８ａの後端が排出口１３から外へ排出されてから二番目のＰＴＰ包装剤８ｂの前端が排出口１３の下部へ落下するまでの時間が、押上部材２０の働きによって、可撓性留具１４の姿勢が真っ直ぐに戻って安定するのに要する整定時間より長くなっているので又はその整定時間に近づけられているので、可撓性留具１４の髭部の長さ調整や高さ調整が多少なら大まかであっても、更には髭形状等が多少経年変化しても、ＰＴＰ包装剤８の逐次排出が的確に行われる。
【実施例２】
【００３１】
本発明のＰＴＰカセットの実施例２について、その具体的な構成を、図面を引用して説明する。図３は、可動部材１９と押上部材２０とを一体形成した部材の構造を示し、（ａ）が打抜板体３１の平面図と立面図、（ｂ）が一体形成部材３０の平面図と立面図、（ｃ）が複数の取付穴３２，３４を形成した一体形成部材３０の平面図と立面図である。
【００３２】
このＰＴＰカセットが上述した実施例１のものと相違するのは、可動部材１９と押上部材２０とが一体物の一体形成部材３０に作り込まれている点である。
一体形成部材３０は、平板からプレス打ち抜き等で作った打抜板体３１（図３（ａ）参照）に曲げ加工を施したものであり（図３（ｂ）参照）、前から後ろ（図では左から右）へ一列に並んで取付穴３２と可動部材１９と押上部材２０が形成されている。また、取付穴３２に近い可動部材１９の基端部と後方の押上部材２０の基端部とが連結部３３で連結されていて、取付穴３２のところで無端ベルト１６に一体形成部材３０を取り付けることで可動部材１９の装着も押上部材２０の装着も完了するものとなっている。
【００３３】
なお、無端ベルト１６の両端を支持するローラの径が小さい等のため、ローラでの転回時に押上部材２０が不所望に揺れたり振れたりする場合は、可動部材１９と押上部材２０との中間にもう一つの取付穴３４を形成して（図３（ｃ）参照）、そこでも一体形成部材３０を無端ベルト１６に取り付ければ良い。
押上部材２０の形状は、一定角度で後ろへ傾斜した単純な平板でも良く（図３参照）、先端ほど斜度を増す先細り曲板でも良く（図１（ｄ）参照）、厚みが一定である必要もなく例えば基端部が幅広で厚く先端部が幅狭で薄くなっていても良い。
【実施例３】
【００３４】
本発明のＰＴＰカセットの実施例３について、その具体的な構成を、図面を引用して説明する。図４は、（ａ）がＰＴＰ包装剤８を未だ一つも収納していない空のＰＴＰカセット４０の斜視図、（ｂ）がＰＴＰ包装剤８を積み重ねて収納したＰＴＰカセット４０の斜視図、（ｃ）が空のＰＴＰカセット４０の要部の縦断面図、（ｄ）が可撓性留具１４０（二段重ね可撓性留具）の正面図、（ｅ）が最下薬剤向け可撓性留具１４１＋１４３（自然滑落防止用の第１可撓性留具）の正面図、（ｆ）が二番目薬剤向け可撓性留具１４２＋１４４（二枚落ち防止用の第２可撓性留具）の正面図である。
【００３５】
このＰＴＰカセット４０が上述した実施例１のＰＴＰカセット１０と相違するのは、単段の可撓性留具１４が二段の可撓性留具１４０になっている点である。
可撓性留具１４０は、自然滑落防止用の第１可撓性留具である最下薬剤向け可撓性留具１４１＋１４３と、二枚落ち防止用の第２可撓性留具である二番目薬剤向け可撓性留具１４２＋１４４とに複数化されて、前後に並んだ二段重ね可撓性留具になっている。
【００３６】
二番目薬剤向け可撓性留具１４２＋１４４は、髭状・櫛歯状の可撓性部材からなり要部をなす髭部１４２が下側部分になって排出口１３に位置し、その支持と高さ調整を担う板状の調整部１４４が上側部分になって箱体１１の前面板に装着されたものである。
最下薬剤向け可撓性留具１４１＋１４３は、髭状・櫛歯状の可撓性部材からなり要部をなす髭部１４１が下側部分になって排出口１３に位置し、その支持と高さ調整を担う板状の調整部１４３が上側部分になって調整部１４４の上から箱体１１の前面板に装着されたものであり、二番目薬剤向け可撓性留具１４２＋１４４の手前に位置している。
【００３７】
調整部１４３，１４４には、高さ即ち鉛直方向位置が容易に変更しうるよう、例えば止めネジ挿通孔が上下に長く形成されている。また、その高さ調整が個々に行えるよう、調整部１４３と箱体１１の前面板との間で両者に前後から挟まれている調整部１４４には、それに重なる調整部１４３の止めネジを遊挿させる長孔も形成されている。調整部１４３を調整部１４４に密着させた場合は、調整部１４４の調整を先に済ませてから調整部１４３の調整を行うことになるが、例えば調整部１４３の止めネジに適宜なスペーサを嵌装させる等のことで、調整部１４４と調整部１４３とを僅かでも離して個別に箱体１１へ固定すれば、後先を気にせず調整部１４３，１４４それぞの高さ延いては髭部１４１，１４２それぞれの高さを調整することができる。
【００３８】
髭部１４１，１４２は、何れも、排出口１３の上側部分に垂下状態で位置していて、排出口１３の横幅ほぼ全域に亘っている。
そのうち後方・内側の二番目薬剤向け可撓性留具１４２＋１４４の髭部１４２は、二枚落ち防止用なので、下から二番目のＰＴＰ包装剤８ｂの前端に強く干渉するよう、比較的堅めになっていて、相対的に高いところに即ち排出口１３の上部に位置している。
これに対し、前方・外側の最下薬剤向け可撓性留具１４１＋１４３は、自然滑落防止用なので、最も下のＰＴＰ包装剤８の前端に弱く干渉するよう、比較的柔らかになっていて、相対的に低いところに即ち排出口１３の下部に位置している。
【００３９】
この実施例３のＰＴＰカセット４０について、その使用態様及び動作を、図面を引用して説明する。図５は、ＰＴＰ包装剤８の排出動作を時系列で示しており、（ａ）がＰＴＰ包装剤８を収納して排出態勢を整えたカセット要部の縦断面図、（ｂ）〜（ｄ）がＰＴＰ包装剤排出時のカセット要部の縦断面図である。ここでも、以下、箱体１１に収納されたＰＴＰ包装剤８のうち最下のＰＴＰ包装剤８はＰＴＰ包装剤８ａと呼び、下から二番目のＰＴＰ包装剤８はＰＴＰ包装剤８ｂと呼ぶ。また、重複を厭わず一連動作を説明する。
【００４０】
ＰＴＰカセット４０を初めて使用するときや、ＰＴＰ包装剤８の種類を変えるようなときには、処理対象のＰＴＰ包装剤８に適合させるべく可撓性留具１４０の高さ調整を行うが、可撓性留具１４０が最下薬剤向け可撓性留具１４１＋１４３と二番目薬剤向け可撓性留具１４２＋１４４とに複数化されているうえ個々に調整することまで可能になっているので、二枚落ちのおそれがなく高速でも安定して逐次排出が行われるよう、それぞれの高さ調整が行われる。
【００４１】
具体的には、最下薬剤向け可撓性留具１４１＋１４３については、髭部１４１が最下のＰＴＰ包装剤８ａの前端と干渉してその自然滑落を阻止するよう、調整部１４３の箱体１１の前面板に対する取付位置が調整される。
また、二番目薬剤向け可撓性留具１４２＋１４４については、髭部１４２が下から二番目のＰＴＰ包装剤８ｂの前端と干渉してその随伴排出を阻止するが最下のＰＴＰ包装剤８ａの排出は妨げないよう、調整部１４４の箱体１１に対する取付位置が調整される。
【００４２】
調整が済んだら、空のＰＴＰカセット１０にＰＴＰ包装剤８を解放上面や解放背面から手作業で補充する。そのとき、各々のＰＴＰ包装剤８を横にしたうえで、多数のＰＴＰ包装剤８の表裏を同じ向きに揃え、なるべくポケット側（薬剤収納用突部形成側）を上にして、それらを内底板１５の上面に積み上げることで、箱体１１内にＰＴＰ包装剤８を収納する。それから、収納したＰＴＰ包装剤８の後端を指等で軽く押して、ＰＴＰ包装剤８の列を整える。こうして、整列収納されたＰＴＰ包装剤８は、最下のＰＴＰ包装剤８ａが前端を可撓性留具１４０の最下薬剤向け可撓性留具１４１＋１４３の髭部１４１に当てて位置が決まり、下から二番目のＰＴＰ包装剤８ｂが前端を二番目薬剤向け可撓性留具１４２＋１４４の髭部１４２に当てて位置が決まり、下から三番目以上のものが前端を箱体１１の前板に当てて位置が決まり、それらの順次排出の準備が整う（図５（ａ）参照）。
【００４３】
その後、ＰＴＰ包装剤８を一つずつ排出させるときには、図示しない制御回路に排出の指令や指示を与えて、ＰＴＰカセット１０に排出動作を行わせる。具体的には、制御回路が、排出センサ１７の反射光不検出を確認しつつ、電動モータ１８を作動させる。そうすると、無端ベルト１６が循環し、それに随伴して引掛部材１９と押上部材２０が巡回移動し、後方で上向きになった又はなっていた可動部材１９が後方から前方へ進行する。そして、ＰＴＰ包装剤８のところまで前進すると、その可動部材１９が最下のＰＴＰ包装剤８ａの後端に当接して最下のＰＴＰ包装剤８ａを前進させる。このとき、最下薬剤向け可撓性留具１４１＋１４３の髭部１４１が最下のＰＴＰ包装剤８ａの前端を押さえようとするが、自然滑落は阻止できても、可動部材１９の推進力には抗えないので、最下のＰＴＰ包装剤８ａが前進する。
【００４４】
それから（図５（ｂ）参照）、その可動部材１９と後続の押上部材２０が無端ベルト１６によって更に前送りされると、可動部材１９の後押しによって最下のＰＴＰ包装剤８ａが横送りされてＰＴＰ包装剤８ａの前端部さらには前側部分が排出口１３から外に出る。このとき、下から二番目のＰＴＰ包装剤８ｂが、最下のＰＴＰ包装剤８ａに摩擦で引きずられて一緒に排出口１３から外へ出ようとするが、二番目薬剤向け可撓性留具１４２＋１４４の髭部１４２によって傷つかない程度ではあるが強く止められるので、箱体１１の中にとどまる。また、可動部材１９に続いて前進した押上部材２０が二番目のＰＴＰ包装剤８ｂの下に入り込んで、そのＰＴＰ包装剤８ｂの後端部さらには後側部分の落下を阻止するので、二番目のＰＴＰ包装剤８ｂの不所望な傾動や曲りが防止・抑制される。
【００４５】
そして（図５（ｃ）参照）、可動部材１９が更に前進して排出口１３から外に出たときには、最下のＰＴＰ包装剤８ａが排出口１３から前方へ排出されるとともに、押上部材２０が排出口１３に近づいて二番目のＰＴＰ包装剤８ｂの前端寄りの部分を下から押し上げるようにして二番目のＰＴＰ包装剤８ｂの前端の落下を阻止する。そのため、最下だったＰＴＰ包装剤８ａが最下薬剤向け可撓性留具１４１＋１４３の髭部１４１を押し曲げて排出された後も暫くは、下から二番目だったＰＴＰ包装剤８ｂは、前端を二番目薬剤向け可撓性留具１４２＋１４４の髭部１４２に当接し続けるので、確実に箱体１１の中にとどまる。その後（図５（ｄ）参照）、可動部材１９に続いて押上部材２０が排出口１３から外に出ると、下から二番目だったＰＴＰ包装剤８ｂが前端部まで内底板１５の上に落下するが、そのときには最下薬剤向け可撓性留具１４１＋１４３の髭部１４１が下向きに戻って真っ直ぐになっているので、その髭部１４１の下端部との干渉によりＰＴＰ包装剤８ｂの自然滑落が阻止される。
【００４６】
また、最下だったＰＴＰ包装剤８ａが排出口１３から前方へ排出されたときには、その排出中のＰＴＰ包装剤８ａからの反射光が排出センサ１７によって検出され、これに応じて適宜なタイミングで電動モータ１８の作動が停止されるので、無端ベルト１６の循環動作も可動部材１９と押上部材２０の巡回移動も止まる。そして、最下だったＰＴＰ包装剤８ａの抜けた内底板１５上では、二番目だった次のＰＴＰ包装剤８ｂが最下のものとなる。ただし、続けて二枚目のＰＴＰ包装剤８も排出する場合は、無端ベルト１６が循環動作を続行するので、可動部材１９と押上部材２０の巡回移動も続行される。
【００４７】
こうして、ＰＴＰ包装剤８が一枚ずつ排出されるが、このＰＴＰカセット４０にあっては、最下のＰＴＰ包装剤８ａの後端が排出口１３から外へ排出されてから二番目のＰＴＰ包装剤８ｂの前端が排出口１３の下端へ落下するまでの時間が、押上部材２０の働きによって、最下薬剤向け可撓性留具１４１＋１４３の髭部１４１の姿勢が真っ直ぐに戻って安定するのに要する整定時間より長くなっているので又はその整定時間に近づけられているので、可撓性留具１４０の調整部１４３，１４４の調整が大まかであっても、更には髭部１４１，１４２が多少経年変化しても、ＰＴＰ包装剤８の逐次排出が的確に行われる。
【００４８】
［その他］
上記実施例では、箱体１１の前面板が鉛直になっていたが、箱体１１の前面板は多少なら傾いていても良く、例えば内底板１５と同じ角度だけ前方に傾けて内底板１５と直交させても良い。
上記実施例２では一体形成部材３０が打ち抜き等で製造されていたが、それに製造方法が限定される訳でなく、可動部材１９と押上部材２０が一体物であれ別体であれ、製法は、任意であり、例えば射出成型でも切削加工でも良い。
【産業上の利用可能性】
【００４９】
本発明のＰＴＰカセットは、ＰＴＰ包装した薬剤の他、それと等価な薬剤たとえばシート状包装やカード状包装の薬剤などにも、適用することができる。
また、本発明のＰＴＰカセットは、単体で使用できる他、薬剤払出装置の一部や全部に組み込んでも良い（例えば特許文献１〜３参照）。
【符号の説明】
【００５０】
８，８ａ，８ｂ…ＰＴＰ包装剤（薬剤）、
１０…ＰＴＰカセット、
１１…箱体（整列収納部）、１２…ラベル、１３…排出口、１４…可撓性留具１４、
１５…内底板（収納空間底部材）、１６…無端ベルト（送り機構）、
１７…排出センサ、１８…電動モータ、１９…可動部材、２０…押上部材、
３０…一体形成部材、３１…打抜板体、３２…取付穴、３３…連結部、３４…取付穴、
４０…ＰＴＰカセット、１４０…可撓性留具（二段重ね可撓性留具）、
１４１…髭部（第１可撓性留具）、１４２…髭部（第２可撓性留具）、
１４３…調整部（第１可撓性留具）、１４４…調整部（第２可撓性留具）
【図１】
0005388972.tif 000002
【図２】
0005388972.tif 000003
【図３】
0005388972.tif 000004
【図４】
0005388972.tif 000005
【図５】
0005388972.tif 000006